(57)【要約】【課題】磁気センサの検出結果に基づき異常を検出する磁気監視制御の下、励磁制御により動作する電動役物から発する磁力に起因した、異常検出の発生を防止する。【解決手段】アタッカーソレノイド１４８や電チューソレノイド１３８等の磁力を用いて可動部を可動させる駆動源の動作により発生する磁力の検出範囲に属する磁気センサ２０２Ｂ、２０２Ｃ（第１群）の場合は、当該駆動源の動作により異常レベルの磁力を検出しても、異常信号を出力しないようにしたため、アタッカー１１２や特別図柄始動入賞口（Ｂ）１３４等と、磁気センサ２０２Ｂ、２０２Ｃとの相対位置関係を考慮せずに配置可能であり、設計の自由度を増すことができる。また、その一方で、駆動源の磁力に影響を受けない磁気センサ２０２Ａ、２０２Ｄ（第２群）は、異常レベルの磁力を検出した時点で、即時に異常信号を出力するようにしたため、不正行為を未然に防止することができる。【選択図】図７
2014057740.tif 000002
【特許請求の範囲】
【請求項１】
通電制御による励磁又は非励磁の状態を利用して、遊技盤面に設けられた可動部を少なくとも２位置に移動させる駆動部と、
前記遊技盤の盤面の磁力を検出するために設けられ、前記駆動部の前記通電制御による前記励磁の影響を受ける範囲内に位置する第１群、或いは範囲外に位置する第２群に分類された複数の磁気センサと、
前記磁気センサからの磁力の検出信号を入力源とし、予め定められた強度を超える磁力に対して異常信号を出力することで、磁力の発生状態を監視する監視手段と、
前記監視手段において、前記第１群に分類された磁気センサで予め定められた強度を超える磁力を検出した場合に、前記駆動部が駆動中か否かを判定する判定手段と、
前記判定手段で、前記駆動部の駆動中であると判定された場合に、前記異常信号の出力をキャンセルする異常信号キャンセル手段と、
前記監視手段から出力される異常信号を受けて、異常な磁力の発生を報知する報知手段と、
を有する遊技機。
【請求項２】
前記入力源として、前記第１群及び第２群のそれぞれに別々に接続される、独立したポートを備えることを特徴とする請求項１記載の遊技機。
【請求項３】
前記判定手段が、第１群に属する全ての磁気センサの何れかで、定められた強度を超える磁力を検出した場合に、全ての駆動部の何れかで、駆動中であると判定された場合に、前記異常信号の出力をキャンセルすることを特徴とする請求項１又は請求項２記載の遊技機。
【請求項４】
前記判定手段が、第１群に属する磁気センサのそれぞれに対して、励磁の影響を受ける範囲内に位置する駆動部が割り当てられ、当該割り当てられた駆動部が駆動中か否かを判定することを特徴とする請求項１又は請求項２記載の遊技機。
【発明の詳細な説明】
【技術分野】
【０００１】
本発明は、磁気センサを備えた遊技機に関するものである。
【背景技術】
【０００２】
従来、遊技機、例えば、パチンコ機やパチスロ機においては、回路基板上に取り付けられた集積回路（マイクロコンピュータを含む）に、予め定められた遊技仕様プログラムが記憶されると共に、遊技機に備えられたＬＣＤ等の画像表示部、ＬＥＤ等の電飾部材、電動役物等の可動部材が当該遊技仕様プログラムに基づき、遊技の進行によって動作制御されるようになっている。
【０００３】
電動役物には、その動作のための駆動源として、モータやソレノイドが適用されている。モータやソレノイドは、駆動の際に磁力が発生する。特にソレノイドは、励磁力によりアクチュエータを動作させる機構であり、例えば、２位置間を短いストロークで移動させることができ、パチンコ機では、電動チューリップや大入賞口（アタッカー）等の役物装置の開閉動作や、演出用の可動部の動作の駆動源に適用される。また、モータは、永久磁石が適用されると共に、電流を流すことで磁力が発生するため、少なからず、周囲に磁力の影響を及ぼしている。
【０００４】
ところで、遊技盤面側のガラス越しに、磁石等を用いて磁力で遊技球を誘導する不正行為がある。例えば、大当たりしたときに実行されるアタッカーの開閉動作中に、アタッカーの上部に遊技球を磁力で滞留させ、一気にアタッカーへ入賞させ、本来の入賞球制限数をはるかに超える入賞によって、不正に賞球を受けるような不正行為が存在する。
【０００５】
このため、遊技盤の適宜箇所に、磁気センサを取り付け、磁気監視制御を実行している。磁気監視制御では、磁気センサによって磁力を検出すると、遊技仕様プログラムを中断したり、警報を鳴らしたりして不正対策を行う。この磁気監視制御により、磁石等を用いた磁力による不正行為を未然に防止することができる。
【０００６】
一方、遊技盤には、前記電動役物の駆動源として、励磁力でアクチュエータを動作させるソレノイドが適用されている。このソレノイドの励磁動作を感知して、不正対策が実行されることは、前記磁気監視制御の意に反することになる。
【０００７】
このため、磁気センサの検出領域（感知範囲）を避けて、ソレノイドを配置することが提案されている（特許文献１参照）。
【先行技術文献】
【特許文献】
【０００８】
【特許文献１】特開２００９−０６６３４２号公報
【発明の概要】
【発明が解決しようとする課題】
【０００９】
しかしながら、上記特許文献１のように、磁気センサ（すなわち、検出領域）と、ソレノイドとの相対位置関係を考慮して、それぞれの取付位置を選定しなければならず、大幅に構造上の制約を受けることになる。
【００１０】
特に、磁気センサの検出領域は、磁気センサ自身の経時的性能変化、或いは周辺金属部品等との位置関係により、取り付け初期の磁気センサの単体での設計上の検出領域に対して変動する場合がある。
【００１１】
このような変動があった場合に、既に固定的に取り付けられた磁気センサやソレノイドの取付位置変更ができず、磁気センサの検出精度を低下させなければならず、不正行為対策に支障をきたすことになる。
【００１２】
さらに、磁気センサの検出精度を低下させる要因として、動作を伴う電動役物の演出の多様化が考えられる。この電動役物において、当該電動役物を動作させるためのソレノイドを遊技盤の裏面側に設置するにあたり、取付スペースの制限上、ソレノイドが磁気センサの検出範囲に進出せざるを得ない場合がある。
【００１３】
本発明は上記事実を考慮し、磁気センサの検出結果に基づき異常を検出する磁気監視制御の下、励磁制御により動作する電動役物等の駆動部から発する磁力に起因した、異常検出の発生を防止することができる遊技機を得ることが目的である。
【課題を解決するための手段】
【００１４】
本発明は、通電制御による励磁又は非励磁の状態を利用して、遊技盤面に設けられた可動部を少なくとも２位置に移動させる駆動部と、前記遊技盤の盤面の磁力を検出するために設けられ、前記駆動部の前記通電制御による前記励磁の影響を受ける範囲内に位置する第１群、或いは範囲外に位置する第２群に分類された複数の磁気センサと、前記磁気センサからの磁力の検出信号を入力源とし、予め定められた強度を超える磁力に対して異常信号を出力することで、磁力の発生状態を監視する監視手段と、前記監視手段において、前記第１群に分類された磁気センサで予め定められた強度を超える磁力を検出した場合に、前記駆動部が駆動中か否かを判定する判定手段と、前記判定手段で、前記駆動部の駆動中であると判定された場合に、前記異常信号の出力をキャンセルする異常信号キャンセル手段と、前記監視手段から出力される異常信号を受けて、異常な磁力の発生を報知する報知手段と、を有している。
【００１５】
本発明によれば、遊技盤の盤面の磁力を検出するために設けられ、駆動部の通電制御による励磁の影響を受ける範囲内に位置する第１群、或いは範囲外に位置する第２群に分類された複数の磁気センサを設けている。駆動部は、通電制御による励磁又は非励磁の状態を利用して、遊技盤面に設けられた可動部を少なくとも２位置に移動させる。
【００１６】
監視手段では、磁気センサからの磁力の検出信号を入力源とし、予め定められた強度を超える磁力に対して異常信号を出力することで、磁力の発生状態を監視する。
【００１７】
報知手段は、監視手段から出力される異常信号を受けて、異常な磁力の発生を報知する。
【００１８】
ここで、判定手段では、監視手段において、第１群に分類された磁気センサで予め定められた強度を超える磁力を検出した場合に、駆動部が駆動中か否かを判定し、異常信号キャンセル手段では、判定手段で、駆動部の駆動中であると判定された場合に、異常信号の出力をキャンセルする。
【００１９】
これにより、駆動部の駆動による励磁により磁気センサが異常信号を出力する磁力を受けても、これをキャンセルすることができるため、不正行為の誤検出を防止することができる。この場合、例えば、駆動部の非駆動中に可動が入賞開口を閉塞している間に、磁力で入賞開口上方に遊技球を貯めておき、駆動部の駆動で入賞開口を開放した直後に磁石を離すことで入賞数を増やすといったような不正行為は、確実に検出でき異常信号を出力することができる。
【００２０】
本発明において、前記入力源として、前記第１群及び第２群のそれぞれに別々に接続される、独立したポートを備えることを特徴としている。
【００２１】
磁気センサを選択的にポートに接続することで、第１群又は第２群の分類が可能であり、組付作業が向上する。
【００２２】
また、本発明において、前記判定手段が、第１群に属する全ての磁気センサの何れかで、定められた強度を超える磁力を検出した場合に、全ての駆動部の何れかで、駆動中であると判定された場合に、前記異常信号の出力をキャンセルすることを特徴としている。
【００２３】
全ての磁気センサが全ての駆動部の駆動状態で異常信号の出力をキャンセルするため、誤検出の発生を、より軽減することができる。
【００２４】
さらに、本発明において、前記判定手段が、第１群に属する磁気センサのそれぞれに対して、励磁の影響を受ける範囲内に位置する駆動部が割り当てられ、当該割り当てられた駆動部が駆動中か否かを判定することを特徴としている。
【００２５】
磁気センサのそれぞれがもつ検出範囲に即して駆動部を割り当てることができるため、必要最小限の異常信号のキャンセルとすることができる。
【発明の効果】
【００２６】
以上説明した如く本発明では、磁気センサの検出結果に基づき異常を検出する磁気監視制御の下、励磁制御により動作する駆動部から発する磁力に起因した、異常検出の発生を防止することができるという優れた効果を有する。
【図面の簡単な説明】
【００２７】
【図１】本実施の形態に係るパチンコ機の正面図である。
【図２】本実施の形態に係る遊技盤の正面図である。
【図３】本実施の形態に係る制御系のハード構成を示すブロック図である。
【図４】（Ａ）はアタッカーが設けられた電動役物の正面図、（Ｂ）は図４（Ａ）のＩＶＢ−ＩＶＢ線断面図である。
【図５】アタッカーが設けられた電動役物を背面から見た斜視図である。
【図６】本実施の形態に係る磁気センサの回路図である。
【図７】本実施の形態に係る不正監視制御部の機能ブロック図である。
【図８】本実施の形態に係る不正監視制御の流れを示すフローチャートである。
【発明を実施するための形態】
【００２８】
（パチンコ機の構成）
図１に示されるように、パチンコ機１０の前面下部には、化粧パネルとなる下飾り１２が取り付けられている。
【００２９】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００３０】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００３１】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００３２】
上皿部２８の周縁壁部３２における図１の右端部には、球貸ボタン４２と、返却ボタン４４が設けられている。
【００３３】
また、一体皿２４の右側下部には打球の発射力（飛距離）を調整するためのグリップユニット（発射ハンドル）２６が取り付けられ、左側下部には、灰皿４６が取り付けられている。
【００３４】
一体皿２４における下皿部３０の図１の右側には受け皿スピーカ６０Ｕが配置されている。
【００３５】
ここで、一体皿２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３６】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００３７】
この結果、上演出部５２と下演出部５４とで、遊技盤１８の周囲を取り囲むように、演出部５６が形成されている。
【００３８】
この演出部５６は、上演出部５２及び下演出部５４共に、照明部材（ＬＥＤ等）が取り付けられた基板（図示省略）と、この基板を覆うように、所定の意匠で形成されたレンズカバー５８が取り付けられている。
【００３９】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっているが、単色に点灯するものであってもよい。或いは、レンズ部５８を予め着色してもよい。
【００４０】
ガラス枠の上部角部には、それぞれ三連表示６２が設けられ、遊技状態の報知（エラー報知等を含む）に適用される。
【００４１】
また、前記上演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００４２】
なお、以下では、前述した受け皿スピーカ６０Ｕと、このガラス枠スピーカ６０Ｃ、６０Ｌ、６０Ｒを総称して、「スピーカ６０」という。
【００４３】
（遊技盤の構成）
図２に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。なお、ベニヤ板に代えて透明アクリル板等が用いられる場合もある。これらの外レール１０２及び内レール１０４によって囲まれた円形状の領域は、発射装置１６５（図３参照）から発射されて打ち込まれた遊技球ＰＢが自重落下により移動可能とされ、この領域が遊技を行う遊技領域とされている。
【００４４】
遊技盤１８の遊技領域には、釘１９（一部のみ指標）が点在して打ち込まれ、かつ風車２１が取り付けられている。また、遊技領域におけるほぼ中央には、センター役物１０５が配置されている。センター役物１０５は、機械的に動作する可動役物装置１０５Ａ、１０５Ｂと、各種演出等の映像を表示する表示部１０６を備えている。可動役物装置１０５Ａ、１０５Ｂは、詳細な説明は省略するが、後述する特別図柄抽選の結果に基づいて、遊技者に当選の期待感を持たせるための動作として、表示部１０６の前面にせり出したり、表示部１０６の表示面を広狭したり等の動作演出が実行されるようになっている。一方、表示部１０６は、ＬＣＤ表示、ＬＥＤ表示等が適用可能であるが、特に表示形態に限定されるものではない。
【００４５】
表示部１０６では、例えば、特別図柄抽選の結果を報知するための図柄変動パターン演出が実行される。一例としては、３列の図柄列を個別に変動させ、その内の２列の図柄列が変動を停止したときの図柄が同一図柄となった場合を「リーチ」として遊技者に期待感を持たせる演出を実行し、最終列が停止して、既に停止している２列の図柄と同一図柄となった場合は当選、異なる図柄となった場合は落選を報知する。
【００４６】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００４７】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００４８】
図２に示される如く、センター役物１０５の下部には、特別図柄始動入賞口（Ａ）１３０が配置されている。特別図柄始動入賞口（Ａ）１３０は常時入賞可能に上部が開口している。
【００４９】
また、遊技盤１８の遊技領域の最下位置には、外れ球を遊技盤１８の裏側へ排出するアウト口１２４が設けられている。
【００５０】
一方、図２に示される如く、センター役物１０５の図２に向かって右側には、普通図柄抽選の始動機能を持つ通過ゲート１１８が配置されている。
【００５１】
この通過ゲート１１８の下方には、特別図柄始動入賞口（Ｂ）１３４が配置されている。特別図柄始動入賞口（Ｂ）１３４の上部開口は、釘１９によって通常は閉塞されている。
【００５２】
この特別図柄始動入賞口（Ｂ）１３４には、電動チューリップ１３６が取り付けられている。電動チューリップ１３６は、遊技盤１８の裏面側に配設された電チューソレノイド１３８（図３参照）の通電・非通電によって開閉する構成となっている。
【００５３】
電動チューリップ１３６は、前記普通図柄抽選に当選したときに開放するようになっている。電動チューリップ１３６が開放状態になると、特別図柄始動入賞口（Ｂ）１３４の入賞開口部へのパチンコ球ＰＢの受け入れが可能となり、パチンコ球ＰＢの入賞が可能となる。
【００５４】
前記特別図柄始動入賞口（Ｂ）１３４のさらに下部には、遊技領域の下端部付近に位置して特別図柄抽選の大当たり専用のアタッカー１１２が配置されている。
【００５５】
アタッカー１１２には、開閉扉１１６が設けられている。この開閉扉１１６が、アタッカーソレノイド１４８（図３参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００５６】
ここで、特別図柄始動入賞口（Ａ）１３０又は特別図柄始動入賞口（Ｂ）１３４に遊技球ＰＢが入賞すると、特別図柄抽選が実行される。
【００５７】
この特別図柄抽選において「大当たり」に当選すると、前記アタッカー１１２の開閉扉１１６が所定のパターンで開閉動作し、これを所定回数（所定ラウンド）繰り返すようになっている（「特別遊技」「大役処理」等と言う場合がある）。
【００５８】
なお、前記特別図柄抽選の抽選結果である当選（「大当たり」）は、主として表示部１０６の図柄変動表示演出において報知され、この図柄変動表示演出中、或いは、前記大役処理中の場合は、抽選結果の報知を待機（保留・記憶）し、順次報知していくようになっている。また、図柄変動表示演出と共に、動物などが擬人化されたキャラクタが表示され、特別図柄抽選で当選した旨を暗示させることにより、遊技者に期待感を持たせるといった、視覚的な演出をすることもあり、その場合は効果音によって聴覚からも遊技者の興趣を増大させる。
【００５９】
例えば、通常時がセンター役物１０５に向かって左側を狙って打つ遊技（所謂「左打ち状態」）であるのに対して、前記大役処理中は、前記アタッカー１１２に向けて、センター役物１０５に向かって右側を狙って打つ遊技（所謂「右打ち状態」）に変更する。
【００６０】
また、特定の遊技状態（例えば、大役処理後の一定期間の「右打ち状態」）で通過ゲート１１８を遊技球ＰＢが通過すると、普通図柄抽選が実行され、当該普通図柄抽選に当選すると、前記電動チューリップ１３６を開放する。前記特定の遊技状態では、電動チューリップの開放期間が長いため、特定の遊技状態以外の遊技状態に比べて、特別図柄始動入賞口（Ｂ）１３４に入賞する確率は増えることになる。
【００６１】
本実施の形態では、特定の遊技状態を「電動チューリップ１３６のサポート付の時短遊技状態」（「電サポ付時短」「電サポ付時短中」等と言う場合がある）とし、非電サポ付時短中のベースが２０であるのに対し、この電サポ付時短中のベースが１００となるように設定される。なお、ベースとは、発射球数に対する賞球払出数の割合であり、例えば、１００球の遊技球ＰＢが発射されて２０球の賞球払出があるときをベース２０といい、１００球の賞球払出があるときをベース１００という。
【００６２】
また、遊技盤１８には、センター役物１０５よりも下、かつ特別図柄始動入賞口（Ａ）１３０の左側（遊技盤１８の左下）には、複数の一般入賞口１２０（本実施の形態では、２個の一般入賞口１２０Ａ、１２０Ｂとする。）が設けられた役物装置１０７が配置されている。一般入賞口１２０は、２個に限られるものではなく、例えば、基本的なベースや入賞率等の設計上の演算によってその数を決めればよい。
【００６３】
なお、本実施の形態では、１個の特別図柄始動入賞口に対して最大４個（本実施の形態では、特別図柄始動入賞口（Ａ）１３０及び特別図柄始動入賞口（Ｂ）１３４の２個の特別図柄始動入賞口なので、８個となる。）の保留（遊技球の始動入賞に対する記憶）が可能となっている。なお、この保留球数は限定されるものではない。
【００６４】
保留球数は、主として特別図柄表示部を備えた遊技進行ガイドランプユニット１０９（図２に示すセンター役物１０５を正面視したときの右下に配置）の一部である特別図柄記憶表示部によって報知される。
【００６５】
また、センター役物１０５及び役物装置１０７との間の遊技盤１８の表面には、当該表面よりも奥側に埋め込まれるように、電飾装置１２２が配置されている。この電飾装置１２２の前面には、釘１９が打ち込まれている箇所があり、遊技球ＰＢが通過可能な流路上にあることがわかる。このため、遊技者は、遊技球ＰＢの動向を見る視線をずらさずに、当該電飾装置１２２の演出状態を視認可能となる。
【００６６】
（不正防止対策）
本実施の形態におけるパチンコ機１０では、パチンコ機１０を揺すったり、叩いたりすることで遊技球ＰＢの動向に変化をつけようとする不正行為、並びに、手に磁石を持ちガラス板１４（図１参照）に近づけることで、遊技球ＰＢの動向に変化をつけようとする不正行為の防止対策として、遊技盤１８の裏面側には、振動センサ２００及び複数個（本実施の形態では、４個）の磁気センサ２０２Ａ、２０２Ｂ、２０２Ｃ、２０２Ｄを設けている。
【００６７】
振動センサ２００は、図２に示す遊技盤１８の正面に対して左上（すなわち、裏面側では右上となる）の角部に設けられている（矩形枠参照）。
【００６８】
振動センサ２００の位置は特に制限はなく、遊技盤１８の全体を対象として、最も振動が伝わり易い位置に取り付ければよい。なお、本実施の形態では、１個の振動センサ２００で遊技盤１８の全体の領域の振動を検出するようにしたが、複数個の振動センサ２００を配置してもよい。
【００６９】
一方、磁気センサ２０２Ａは、図２に示す遊技盤１８の正面に対して、特別図柄始動入賞口（Ａ）１３０の左上（すなわち、裏面側では特別図柄始動入賞口（Ａ）１３０が配置の右上となる）に配置されている。
【００７０】
磁気センサ２０２Ｂは、図２に示す遊技盤１８の正面に対して、特別図柄始動入賞口（Ｂ）１３４の上方、かつ通過ゲート１１８の配置位置近傍に配置されている。
【００７１】
磁気センサ２０２Ｃは、アタッカー１１２の右下（すなわち、裏面側ではアタッカー１１２の左下）に配置されている。
【００７２】
磁気センサ２０２Ｄは、一般入賞口１２０Ａの下方に配置されている。
【００７３】
図６には、本実施の形態において適用可能は磁気センサ２０２Ａ〜２０２Ｄの回路図が示されている。
【００７４】
磁気検出センサ２０２Ａ〜２０２Ｄは、ＮＰＮ型トランジスタ２３０（以下、「ＴＲ２３０」という）を備え、そのコレクタ（Ｃ）には、抵抗２３２介してＤＣ電源線２３４Ａが接続され、エミッタ（Ｅ）には、接地線（アース線）２３６を介して接地されている。
【００７５】
また、ＴＲ２３０のベース（Ｂ）には、不正行為の実行に準じる磁力を受けたときにＬ信号を発し、不正行為の実行に準じる磁力を受けていないときにＨ信号を発するようにＤＣ電源が供給されている。ＤＣ電源は、例えば１２Ｖである。
【００７６】
前記ＴＲ２３０のコレクタ（Ｃ）は、信号線２３７を介して不正監視制御部２０４に接続されている（接続関係の詳細は後述）。
【００７７】
ＴＲ２３０では、ベースが磁力を受けていない状態（Ｈ信号）では、コレクタ−エミッタ間がオンとなり、ＤＣ電源から抵抗２３２を介してＴＲ２３０のコレクタ−エミッタ間に電流が流れる。このため、信号線２３７には、Ｌ信号が送出される。このＬ信号は、不正行為の実行に準じる磁気未検出を意味する。
【００７８】
また、ＴＲ２３０では、ベースが磁力を受けた状態（Ｌ信号）では、コレクタ−エミッタ間がオフとなり、ＤＣ電源から、抵抗２３２を介して、信号線２３７に電流が流れ、Ｈ信号が送出される。これは、不正行為の実行に準じる磁気検出を意味する。
【００７９】
図２では、４個の磁気センサ２０２Ａ、２０２Ｂ、２０２Ｃ、２０２Ｄを矩形枠で示し、かつ、磁力検出範囲Ａmagを円形の点線枠で示している。なお、詳細は後述するが、磁力検出範囲Ａmagは、実際には、球体のように三次元的な空間である。
【００８０】
磁気センサ２０２Ａ、２０２Ｂ、２０２Ｃ、２０２Ｄのぞれぞれの磁力検出範囲Ａmag内には、磁力によって可動部材（電動チューリップ１３６や開閉部材１１６等）を動作させる電動役物の駆動源が存在しているもの（磁気センサ２０２Ｂ、２０２Ｃ）と、電動役物の駆動源が存在していないもの（磁気センサ２０２Ａ、２０２Ｄ）がある。
【００８１】
ここで、本実施の形態では、磁力検出範囲Ａmag内に電動役物の駆動源が存在する磁気センサ２０２Ｂ、２０２Ｃを第１群に分類し、磁力検出範囲Ａmag内に電動役物の駆動源が存在しない磁気センサ２０２Ａ、２０２Ｄを第２群に分類する。また、必要に応じて、第１群を（１）、第２群を（２）と省略して示す場合がある。
【００８２】
磁気センサ２０２Ａ〜２０２Ｄの機能は、例えば、遊技盤１８の前面からアタッカー１１２の開閉扉１１６に磁石を近づけて、遊技球ＰＢを集中して滞留させ、開閉トビラ１１６の開放時に一気に入賞させるといった不正行為があった場合、磁気センサ２０２Ｃによって、異常を知らせる強度の検出信号が出力されることになる。その他の磁気センサ２０２Ａ、２０２Ｂ、２０２Ｄにおいても、遊技盤１８の前面から磁石を近づけたことを検出する役目を有している。
【００８３】
後述する主制御部１５０には、不正監視制御部２０４（図３参照）が設けられており、磁気センサ２０２Ａ、２０２Ｂ、２０２Ｃ、２０２Ｄからの検出信号を入力源として受け付けて、異常信号を出力することで、不正行為を監視するようにしている。なお、不正監視制御部２０４では、前記振動センサ２００からの検出信号を受け付け、振動に関する不正の監視も行っている。
【００８４】
ここで、役物装置、特に電動役物において、磁力を用いて可動部材を動作させるとき、それぞれが磁力検出範囲Ａmagとなる第１群の磁気センサ２０２Ｂ、２０２Ｃが異常を知らせる強度の検出信号を出力する場合がある。
【００８５】
例えば、前記アタッカー１１２においても、開閉扉１１６が開放中は、アタッカーソレノイド１４８（図４、図５参照）が励磁されており、この励磁による磁力が磁気センサ２０２Ｃによって検出される場合がある。
【００８６】
図４及び図５は、電動役物の一例として、磁気センサ２０２Ｃの磁力検出範囲Ａmag（１）内、かつ、磁力検出範囲Ａmag（２）外に位置する、アタッカー１１２の詳細構造を説明する。
【００８７】
図４（Ａ）は、遊技盤１８の正面から見たアタッカー電動役物２０６の正面図であり、全体の外観を構成する合成樹脂製の装飾部材２０８は、その一部が円形の遊技領域の右下の円弧に沿って円弧状に形成されている。
【００８８】
装飾部材２０８には、横長矩形（長方形）の開口部２１０形成されている（図４（Ｂ）参照）。この開口部２１０は、遊技盤１８を落下してくる遊技球ＰＢの入賞口の１つであり、入賞によって賞球を受けるようになっている。
【００８９】
開口部２１０の下辺部には、図示しない蝶番を介して、開閉扉１１６の下辺が連結されている。このため開閉扉１１６は、当該下辺を中心に開口部２１０を閉止する位置、並びに開口部２１０を開放し、かつ落下してくる遊技球ＰＢを開口部２１０へ案内する受け部材として機能する。
【００９０】
図５に示される如く、開口部２１０の裏面側には、入賞した遊技球ＰＢを案内すると共に、前記開閉扉１１６の開閉動作を担うアタッカーソレノイド１４８を支持するブラケット２１２が設けられている。アタッカーソレノイド１４８には、励磁／非励磁によって伸縮するアクチュエータ１４８Ａ（図４（Ａ）参照）が設けられ、当該アクチュエータ１４８Ａと前記開閉扉１１６とが図示しないリンク機構を介して連結されている。
【００９１】
このため、開閉扉１１６は、アタッカーソレノイド１１２の励磁／非励磁によって開閉動作が実行される。
【００９２】
前記ブラケット２１２には、検出面が遊技盤１８の裏面に対向するように、磁気センサ２０２Ｃが取り付けられている。磁気センサ２０２Ｃの磁力検出範囲Ａmagは、図２に示される如く、遊技盤１８の正面からみると円形である。しかし、実際には、図４（Ｂ）に示される如く、磁気センサ２０２Ｃの検出面の前後に略球体状の磁力検出範囲Ａmagが形成されている。
【００９３】
磁力検出範囲Ａmag（１）、（２）は、遊技盤１８の前面における不正行為が実行される可能性のある領域を十分に確保している。また、一方で、磁力検出範囲Ａmag（１）は、前記アタッカーソレノイド１４８の取り付け領域を含んでいる。このため、アタッカーソレノイド１４８が励磁されると、磁気センサ２０２Ｃは、しきい値を超える強度の検出信号を出力する。
【００９４】
また、ここでは詳細な説明は省略したが、前記アタッカーソレノイド１４８と同様に、電チューソレノイド１３８においても、当該電チューソレノイド１３８が励磁されると、この励磁により磁力が磁気センサ２０２Ｂによって検出される場合がある。これらは、遊技盤１８の前面に磁石を近づけた事象とは異なるが、異常信号を出力する契機となり得る（誤検出）。
【００９５】
この誤検出を回避するため、磁力検出範囲Ａmag（１）から逸脱した位置にアタッカーソレノイド１４８を配置すればよいが、構造上の制約が大きく、遊技盤１８への役物配置の自由度が失われることになる。
【００９６】
また、一方で、第２群の磁気センサ２０２Ａ、２０２Ｄにおいては、磁力検出範囲Ａmag（２）に電動役物が存在しないため、磁気センサ２０２Ｂ、２０２Ｃのような誤検出は起きない。
【００９７】
そこで、本実施の形態では、第１群の磁気センサ（本実施の形態では、磁気センサ２０２Ｂ、２０２Ｃ）と、第２群の磁気センサ（（本実施の形態では、磁気センサ２０２Ａ、２０２Ｄ）とが、異なる入力ポート（１）２０４Ａ、入力ポート（２）２０４Ｂ（図３、図７参照）に接続され、不正行為を監視すると共に、電動役物の駆動源の動作による異常信号の誤出力を回避する不正監視制御部２０４を構築した。
（制御系の構成）
次に、図３を用いてパチンコ機１０の制御系について説明する。
【００９８】
本実施形態に係るパチンコ機１０の制御系は、図３に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００９９】
主制御部１５０からは盤用外部端子１９０を介してホールコンピュータ（図示省略）へ遊技の進行状態を示す情報（始動入賞信号や大当たり信号、図柄確定回数信号等）が送信される。
【０１００】
主制御部１５０には、入力系として、通過ゲート１１８を通過する遊技球ＰＢを検出する通過ゲートセンサ１１８Ｓ、特別図柄始動入賞口（Ａ）１３０への入賞球を検出する特図Ａ始動口センサ１３０Ｓ、特別図柄始動入賞口（Ｂ）１３４への入賞球を検出する特図Ｂ始動口センサ１３４Ｓ、「大当たり」の際に開放するアタッカー１１２への入賞球を検出するアタッカーセンサ１１２Ｓ、一般入賞口１２０Ａ、１２０Ｂへの入賞球を検出する一般入賞センサ１２０ＡＳ、１２０ＢＳが接続されている。
【０１０１】
また、主制御部１５０には、出力系として、遊技情報や遊技状態をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【０１０２】
演出制御部１５２には、入力系として、前記操作ボタン５０が接続されている。また、演出制御部１５２には、出力系として、前記電飾装置１２２のＬＥＤチップ１２２Ａ、並びにパチンコ機１０の各種遊技部品に設けられた照明演出用の光源１３７、スピーカ６０（６０Ｌ、６０Ｃ、６０Ｒ、６０Ｕ）が接続されている。
【０１０３】
さらに、演出制御部１５２には、図柄制御部１５６を介して表示部１０６が接続されている。
【０１０４】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【０１０５】
さらに、払出制御部１５４では、枠用外部端子１９１を介して払出情報をホールに設置されたホールコンピュータ（図示省略）へ送信するようになっている。
【０１０６】
また、主制御部１５０には、振動センサ２００及び磁気センサ２０２Ａ、２０２Ｂ、２０２Ｃ、２０２Ｄからの検出信号に基づいて、不正行為を監視する不正監視制御部２０４が設けられている。不正監視制御部２０４には、前述した第１群専用の入力ポート（１）２０４Ａ及び第２群専用の入力ポート（２）２０４Ｂが設けられている。磁気センサ２０２Ｂ、２０２Ｃは第１群に属しているので、入力ポート（１）２０４Ａに接続され、磁気センサ２０２Ａ、２０２Ｄは第２群に属しているので、入力ポート（２）２０４Ｂに接続されている。
【０１０７】
（不正監視制御部２０４の機能）
図７は、不正監視制御部２０４において、磁気センサ２０２Ａ、２０２Ｂ、２０２Ｃ、２０２Ｄによる、不正監視制御のための機能ブロック図である。なお、振動センサ２００においては、図示は省略したが、振動状態（強度（振幅）、単位振動回数（周波数）、振動期間等）をパラメータとして、遊技者等が意図的に不正に遊技盤１８を揺らす、或いは叩く等の行為を行っているか否かを監視すればよい。
【０１０８】
図７に示される如く、第１群専用の入力ポート（１）２０４Ａには、２個の入力端Ａ１、Ａ２が設けられ、入力端Ａ１には磁気センサ２０２Ｂの検出信号線２０２ＢＬが接続され、入力端Ａ２には磁気センサ２０２Ｃの検出信号線２０２ＣＬが接続されている。
【０１０９】
一方、第２群専用の入力ポート（２）２０４Ｂには、２個の入力端Ｂ１、Ｂ２が設けられ、入力端Ｂ１には磁気センサ２０２Ａの検出信号線２０２ＡＬが接続され、入力端Ｂ２には磁気センサ２０２Ｄの検出信号線２０２ＤＬが接続されている。
【０１１０】
前記入力ポート（１)２０４Ａは、第１群検出信号受付部２０６に接続されており、入力端Ａ１又は入力端Ａ２から入力した検出信号を受け付ける。
【０１１１】
第１群検出信号受付部２０６は、第１群信号判定部２０８に接続されている。本実施の形態では、磁気センサ２０２Ｂ、２０２Ｃ自体が検出信号として、異常とされる磁力を受けたときと、そうでないときのデジタル情報（二値信号「Ｈ／Ｌ信号」）を出力する構成となっており、第１群信号判定部２０８では、当該検出信号がＨ信号かＬ信号かを判定する。
【０１１２】
第１群信号判定部２０８では、検出信号がＨ信号の場合に「異常」であると判定され、当該「異常」と判定された場合に異常信号出力部２１０に対して異常信号の出力指示信号を送出する。また、検出信号がＬ信号の場合に「正常」と判定され、異常信号の出力指示はない。
【０１１３】
前記入力ポート（２)２０４Ｂは、第２群検出信号受付部２１２に接続されており、入力端Ｂ１又は入力端Ｂ２から入力した検出信号を受け付ける。
【０１１４】
第２群検出信号受付部２１２は、第２群信号判定部２１４に接続されている。本実施の形態では、磁気センサ２０２Ａ、２０２Ｄ自体が検出信号として、異常とされる磁力を受けたときと、そうでないときのデジタル情報（二値信号「Ｈ／Ｌ信号」）を出力する構成となっており、第２群信号判定部２１４では、当該検出信号がＨ信号かＬ信号かを判定する。
【０１１５】
第２群信号判定部２１４では、検出信号がＨ信号の場合に「異常」であると判定され、当該「異常」と判定された場合に異常信号出力部２１０に対して異常信号の出力指示信号を送出する。また、検出信号がＬ信号の場合に「正常」と判定され、異常信号の出力指示はない。
【０１１６】
異常信号出力部２１０は、盤用外部端子１９０及び報知デバイス２２６（表示部１０６、光源１３７、スピーカ６０等）に接続され、それぞれに対し、異常を報知する信号を出力する。例えば、盤用外部端子１９０へホストコンピュータで解読可能な異常信号を出力する。また、表示部１０６へ画像表現による異常信号を出力する。光源１３７へ点灯表現による異常信号を出力する。スピーカ６０へ音声表現による異常信号を出力する。なお、異常信号の出力先は一つでもよいし、２以上を併用してもよい。
【０１１７】
ここで、不正監視制御部２０４には、駆動源動作監視部２１６が設けられており、主制御部１５０の遊技制御系から遊技状態（アタッカーソレノイド１４８や電チューソレノイド１３６等の磁気を利用した動作駆動源の動作情報）を監視している。
【０１１８】
駆動源動作監視部２１６は、磁気監視動作実行可否判定部２１８に接続されている。この磁気監視動作事項可否判定部２１８では、アタッカーソレノイド１４８や電チューソレノイド１３８の駆動状態に基づいて、磁気センサ２０２Ｂ、２０２Ｃによる監視を実行するか否かの判定を行う。この判定結果は、異常信号出力キャンセル部２２０に送出されるようになっている。異常信号出力キャンセル部２２０は、前記第１群検出信号受付部２０６に接続されており、異常信号の出力をするか否かを管理する。
【０１１９】
すなわち、本実施の形態では、アタッカーソレノイド１４８が励磁されているときは、第１群に属する磁気センサ２０２Ｂ、２０２Ｃからの検出信号で異常が判別された場合でも、異常信号の出力をキャンセルする。
【０１２０】
なお、本実施の形態では、磁気センサ２０２Ａ〜２０２Ｄの出力信号をデジタル情報（二値信号「Ｈ／Ｌ信号」）としたが、磁気検出信号をアナログ情報（例えば、電圧値等）とし、その強度をしきい値と比較して、異常か否かを判定するようにしてもよい。
【０１２１】
以下に本実施の形態の作用を説明する。
【０１２２】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の略円形の遊技領域に打ち込まれ、遊技釘や風車に当たり方向を変えながら遊技領域内を落下する。そして、入賞せずに遊技領域の下端部に至った遊技球ＰＢはアウト口１２４からパチンコ機１０内に回収される。
【０１２３】
（本実施の形態に係る遊技仕様）
本実施の形態では、所謂「左打ち」による遊技が基本（基本遊技）となる。すなわち、表示部１０６を境界として、遊技盤１８の左側を通るように遊技球ＰＢの発射強度を調整することで、風車や釘等の障害物に当接しながら、特別図柄始動入賞口（Ａ）１３０へ遊技球を導いていき、入賞すると特別図柄抽選が実行される。
【０１２４】
特別図柄抽選は、表示部１０６にて実行される図柄変動パターン演出によって、遊技者に対し抽選結果の報知が実行される。図柄変動パターン演出は、主制御部１５０からの指示信号等に基づき、図柄変動パターン選択テーブルから図柄変動パターン種が選択されて実行される。
【０１２５】
特別図柄抽選に当選すると、アタッカー１１２の開閉扉１１６が、所定時間、所定回数開放して、遊技球の入賞を通常遊技状態よりも飛躍的に高める大役処理が実行される。
【０１２６】
大役処理は、上記基本遊技とは別に、所謂「右打ち」による遊技となる。
【０１２７】
すなわち、表示部１０６を境界として、遊技盤１８の右側を通るように遊技球ＰＢの発射強度を調整することで、風車や釘等の障害物に当接しながら、アタッカー１１２へ遊技球を導いていく。
【０１２８】
次に、大役処理が終了すると、前記左打ちに戻る場合と、右打ちを継続する場合とがある。右打ちの継続された場合、特別図柄始動入賞口（Ｂ）１３４へ遊技球を導いていく。このとき、時短状態となっており、遊技球ＰＢが通過ゲート１１８を通過すると普通図柄抽選が時短状態で実行され、当選（例えば、当選確率１／１．１）となれば電動チューリップ１３６が頻繁に開放され、特別図柄始動入賞口（Ｂ）１３４への入賞が可能となる。遊技球ＰＢがこの特別図柄始動入賞口（Ｂ）１３４に入賞すると、特別図柄始動入賞口（Ａ）１３０と同様に特別図柄抽選が実行される。
【０１２９】
ここで、上記遊技仕様を実行するプログラムは、主制御部１５０の記憶部（例えば、ＲＯＭ）に記憶され、当該プログラムが実行される。また、主制御部１５０では、電チューソレノイド１３８の動作、アタッカーソレノイド１４８の動作、並びに、ガイドランプユニットの点灯制御が実行される。
【０１３０】
さらに、演出制御部１５２では、図柄制御部１５６を介して表示部１０６の表示制御を含み、聴覚や視覚を通じた演出が実行され、払出制御部１５４では遊技球ＰＢの払い出し制御が実行される。
【０１３１】
以下、図８のフローチャートに従い、本実施の形態に係る、磁気センサ２０２Ｃによる不正監視制御ルーチンを説明する。
【０１３２】
ステップ２５０では、第１群の磁気センサ（磁気センサ２０２Ｂ、２０２Ｃ）からの検出信号を受け付ける。次のステップ２５２では、受け付けた検出信号のレベル（Ｈ信号／Ｌ信号）を判定し、次いでステップ２５４へ移行して、検出信号のレベルがＨ信号かＬ信号かを判別する。
【０１３３】
ステップ２５４において、検出信号のレベルがＬ信号であると判別された場合は、磁力未検出であり、不正行為はないと判断し、ステップ２６２へ移行する。
【０１３４】
一方、ステップ２５４において、検出信号のレベルがＨ信号であると判別された場合は、異常レベルの磁力を検出したと判断し、ステップ２５６へ移行する。
【０１３５】
ステップ２５６では、駆動源であるアタッカーソレノイド１４８や電チューソレノイド１３８等ガ動作中か否かが判断される。
【０１３６】
このステップ２５６で否定判定された場合は、前記ステップ２５４での異常レベルの磁力検出判別は、不正行為によるものであると判断し、ステップ２５８へ移行して異常信号を出力して、ステップ２６２へ移行する。また、ステップ２５６で肯定判定された場合は、前記ステップ２５４の異常レベルの磁力検出判別は、アタッカーソレノイド１４８又は電チューソレノイド１３８等の動作によるものであると判断し、ステップ２６０移行して異常信号の出力をキャンセルして、ステップ２６２へ移行する。
【０１３７】
ステップ２６２では、第２群の磁気センサ（磁気センサ２０２Ａ、２０２Ｄ）からの検出信号を受け付ける。次のステップ２６４では、受け付けた検出信号のレベル（Ｈ信号／Ｌ信号）を判定し、次いでステップ２６６へ移行して、検出信号のレベルがＨ信号かＬ信号かを判別する。
【０１３８】
ステップ２６６において、検出信号のレベルがＬ信号であると判別された場合は、磁力未検出であり、不正行為はないと判断し、このルーチンは終了する。
【０１３９】
一方、ステップ２６６において、検出信号のレベルがＨ信号であると判別された場合は、異常レベルの磁力を検出し、不正行為によるものであると判断し、ステップ２６８へ移行して異常信号を出力して、このルーチンは終了する。
【０１４０】
本実施の形態によれば、アタッカーソレノイド１４８や電チューソレノイド１３８等の磁力を用いて可動部を可動させる駆動源の動作により発生する磁力の検出範囲に属する磁気センサ２０２Ｂ、２０２Ｃ（第１群）の場合は、当該駆動源の動作により異常レベルの磁力を検出しても、異常信号を出力しないようにしたため、アタッカー１１２や特別図柄始動入賞口（Ｂ）１３４等と、磁気センサ２０２Ｂ、２０２Ｃとの相対位置関係を考慮せずに配置可能であり、設計の自由度を増すことができる。
【０１４１】
また、その一方で、駆動源の磁力に影響を受けない磁気センサ２０２Ａ、２０２Ｄ（第２群）は、異常レベルの磁力を検出した時点で、即時に異常信号を出力するようにしたため、不正行為を未然に防止することができる。
【０１４２】
なお、本実施の形態では、磁気センサ２０２Ａ〜２０２Ｄの回路構成として、異常時と正常時とで異なる二値の信号を出力するようにしたが、磁気センサ２０２Ａ〜２０２Ｄからはアナログ信号（例えば、磁力に応じた電圧値）を常時出力し、不正監視制御部２０４において、所謂ソフトウェアプログラムに基づいて、検出アナログ信号（例えば、Ａ／Ｄ変換後の８ビット信号）としきい値とを比較して、異常か否かを判断するようにしてもよい。
【０１４３】
また、駆動源として、アタッカーソレノイド１４８、電チューソレノイド１３８を例にとり説明したが、例えば、演出用可動部に用いるソレノイドを、磁気センサ２０２Ｂ、２０２Ｃの異常信号をキャンセルするための駆動源として適用してもよい。
【０１４４】
さらに、本実施の形態では、複数の駆動源のいずれが駆動中であっても、第１群に属する磁気センサ２０２Ｂ、２０２Ｃの異常信号の出力をキャンセルするようにしたが、アタッカーソレノド１４８と磁気センサ２０２Ｃ、電チューソレノイド１３８は磁気センサ２０２Ｂ等のように、駆動源と磁気センサとを１対１で対応させてもよい。
【０１４５】
また、本実施の形態では、４個の磁気センサ２０２Ａ〜２０２Ｄを第１群、第２群に分類したが、２又は３，或いは５個以上の磁気センサを分類してもよい。また、単一の群に属するのではなく、駆動部の相対位置関係に基づいて、複数の群に重複して属する磁気センサがあってもよい。
【符号の説明】
【０１４６】
１０    パチンコ機（遊技機）
１８    遊技盤
６０    スピーカ（報知手段）
１０５    センター役物
１０６    表示部
１１２    アタッカー
１１６    開閉扉
１３０    特別図柄始動入賞口（Ａ）
１３４    特別図柄始動入賞口（Ｂ）
１３６    電動チューリップ
１４８    アタッカーソレノイド
１５０    主制御部
１５２    演出制御部
１５４    払出制御部
１１８Ｓ    通過ゲートセンサ
１３０Ｓ    特図Ａ始動口センサ
１３４Ｓ    特図Ｂ始動口センサ
１１２Ｓ    アタッカーセンサ
１２０ＡＳ、１２０ＢＳ    一般入賞センサ
１３８    電チューソレノイド(駆動部）
１４８    アタッカーソレノイド（駆動部）
Ａ１、Ａ２    入力端
Ｂ１、Ｂ２    入力端
２０２Ｂ、２０２Ｃ    磁気センサ（第１群）
２０２Ａ、２０２Ｄ    磁気センサ（第２群）
２０２ＢＬ    検出信号線
２０２ＣＬ    検出信号線
２０２ＡＬ    検出信号線
２０２ＤＬ    検出信号線
２０４    不正監視制御部（監視手段）
２０４Ａ    入力ポート（１）
２０４Ｂ    入力ポート（２）
２０６    第１群検出信号受付部（監視手段）
２０８    第１群信号判定部（監視手段）
２１０    異常信号出力部（監視手段）
２１２    第２群検出信号受付部（監視手段）
２１４    第２群信号判定部（監視手段）
２１６    駆動源動作監視部
２１８    磁気監視動作実行可否判定部（判定手段）
２２０    異常信号出力キャンセル部（異常信号キャンセル手段）
２２６    報知デバイス（報知手段）
２３０    ＮＰＮ型トランジスタ２３０（ＴＲ）
２３２    抵抗
２３７    信号線
【図１】
2014057740.tif 000003
【図２】
2014057740.tif 000004
【図３】
2014057740.tif 000005
【図４】
2014057740.tif 000006
【図５】
2014057740.tif 000007
【図６】
2014057740.tif 000008
【図７】
2014057740.tif 000009
【図８】
2014057740.tif 000010